(57)【特許請求の範囲】
【請求項１】
リール（Ｒ）の脚部（Ｆ）の前後両端部を保持することによってリール（Ｒ）を釣竿に固定するリール固定部を備え、該リール固定部は、前記リール（Ｒ）の脚部（Ｆ）が釣竿本体の軸線である中心線（Ｃ）に対し、中心線（Ｃ）と直交している左右方向線（Ｃ2 ）に沿って左右方向に略平行に所定量位置ずれした状態となるようにリール（Ｒ）を固定することを特徴とする釣竿。
【請求項２】
リール固定部としてリールシート（２）を備え、該リールシート（２）には、リール（Ｒ）の脚部（Ｆ）の前後両端部を各々収容して保持する前後一対のフード部（６，７）が互いに対向して設けられ、該両フード部（６，７）の中心線（Ｔ）が釣竿本体の軸線である中心線（Ｃ）から中心線（Ｃ）と直交している左右方向線（Ｃ2 ）に沿って左右方向に略平行に所定量位置ずれして設けられている請求項１記載の釣竿。」
【発明の詳細な説明】
【０００１】
【発明の属する技術分野】
本発明は、リールを装着するためのリール固定部を備えた釣竿に関する。
【０００２】
【従来の技術】
従来、リールを装着して使用する釣竿には、そのリールを釣竿に固定するためにリール固定部が設けられている。該リール固定部は、前後方向に伸びたリールの脚部の前後両端部を保持することにより、リールを釣竿に固定するよう構成されている。そして、リール装着状態においては、リールの脚部は、釣竿の略中心線上に位置する。
【０００３】
【発明が解決しようとする課題】
ところが、リールのハンドルは、リールの側方にあって、釣竿の中心線から左右方向に所定量位置ずれした位置に存在する。そのため、ハンドルを回転させて糸を巻き取る際、釣竿には、軸線まわりの回転モーメントが作用することとなり、釣竿がぶれやすくなるうえに、釣竿を把持して支えている他方の手も疲れる。
【０００４】
それゆえに本発明は、上記従来の問題点に鑑みてなされ、リール巻き取りの操作性をより一層向上させることのできる釣竿を提供することを課題とする。
【０００５】
【課題を解決するための手段】
本発明は、上記課題を解決すべくなされたものであり、本発明に係る釣竿は、リールの脚部の前後両端部を保持することによってリールを釣竿に固定するリール固定部を備え、リール固定部は、リールの脚部が釣竿本体の軸線である中心線に対し、中心線と直交している左右方向線に沿って左右方向に略平行に所定量位置ずれした状態となるようにリールを固定することを特徴とする。
【０００６】
また、リール固定部としてリールシートを備え、該リールシートには、リールの脚部の前後両端部を各々収容して保持する前後一対のフード部が互いに対向して設けられ、該両フード部の中心線が釣竿本体の軸線である中心線から中心線と直交している左右方向線に沿って左右方向に略平行に所定量位置ずれして設けられていることが好ましい。
【０００７】
【発明の実施の形態】
以下、本発明に係る釣竿の一実施形態について、図１及び図２を参酌しつつ説明する。
１は竿本体で円筒状に形成されており、該竿本体１に筒状のリールシート２が外嵌装着されて竿本体１の外周面に固定されている。該リールシート２がリールＲを釣竿に固定するためのリール固定部である。
【０００８】
該リールシート２は、竿本体１に接着固定された筒状のシート本体３と、該シート本体３の外側に前後一対設けられた筒状の脚保持体４、５とを備えている。該両脚保持体４，５は、リールＲを釣竿に固定したリール装着時において、リールＲの脚部Ｆの前後両端部Ｆ１，Ｆ２を収容して保持するフード部６，７をそれぞれ備えている。両フード部６，７は、その開口部が互いに対向するように釣竿の軸線方向に沿って設けられ、その開口部から脚部Ｆの端部が差し込まれる。即ち、前側の脚保持体４におけるフード部６は後方側に開口する開口部を、また、後ろ側の脚保持体５におけるフード部７は前方側に開口する開口部をそれぞれ有している。
【０００９】
より具体的には、竿本体１はシート本体３を貫通しているが、シート本体３は、図２のように、断面視において、上下方向の寸法が左右方向の寸法よりも短いような扁平形状を呈しており、その外周面の前方位置には前側の脚保持体４が固定され、後方位置には後ろ側の脚保持体５が釣竿の軸線方向に沿って所定長さ摺動可能に設けられている。そして、後ろ側の脚保持体５を前方側、即ち、前側の脚保持体４に接近させるように軸線方向にスライドさせることで、それぞれのフード部６，７でリールＲの脚部Ｆを前後に挟み込むように保持する。尚、本実施形態では、リールＲの脚部Ｆの前後両端部Ｆ１，Ｆ２は、シート本体３と脚保持体４，５との間に差し込まれる。
【００１０】
そして、この脚保持体４，５におけるフード部６，７の形成位置が従来とは異なっている。即ち、釣竿の中心線Ｃ（竿本体１の軸線）に対して左右方向左側に所定量位置ずれして両フード部６，７が形成されている。両フード部６，７の中心線Ｔは、図１のように正面から見て、釣竿の中心線Ｃに対して所定量Ｂだけ左側に偏心している。無論、両フード部６，７のオフセット量Ｂは略同一であって、その中心線Ｔと釣竿の中心線Ｃは略平行である。
その状態を図２（図１のＰ−Ｐ線断面図）の断面視において、釣竿の中心線Ｃと直交する上下方向線Ｃ1 と、リールの脚部の前後両端部の中心線Ｔと直交する上下方向線Ｔ１とを対比すると、釣竿の中心線Ｃと直交している左右方向線Ｃ2 に沿ってリールの脚部の前後両端部の中心線Ｔが釣竿の中心線Ｃに対して所定量Ｂだけ左側に位置ずれしていることが理解できる。
【００１１】
従って、リール装着状態においては、リールＲの脚部Ｆは釣竿の中心線Ｃから左側に所定量Ｂだけ位置ずれし、リールＲ自体も左側に位置ずれする。その結果、リールＲの右側に設けられたハンドルＨが所定量Ｂだけ釣竿の中心線Ｃに接近し、両者の距離Ａも従来に比して所定量Ｂだけ短くなる。
【００１２】
このように、釣竿の中心線ＣからハンドルＨまでの距離Ａが、従来に比して、フード部６，７のオフセット量Ｂだけ短くなるため、ハンドルＨの回転操作に伴って生じる、釣竿の軸線まわりの回転モーメントがその分小さくなる。従って、巻き取り操作時に釣竿がぶれることも少なくなり、釣竿を支える左手の負担も軽減される。
【００１３】
尚、本実施形態では、右ハンドル仕様のリールＲを取り付けるために、両フード部６，７を正面視左側にオフセットさせたが、左ハンドル仕様のリールＲを取り付ける構成ならば、逆に、両フード部６，７を正面視右側にオフセットさせる。即ち、リールＲのハンドルＨが釣竿の中心線Ｃに接近するように、両フード部６，７を釣竿の中心線Ｃから左右いずれか一方にオフセットさせるのである。
【００１４】
また、リールシート２の構成も上述したような構成に限定されず、例えば、前側の脚保持体４をシート本体３と一体的に形成するなど、種々の構成を採用することができる。無論、後ろ側ではなく逆に前側の脚保持体４を軸線方向に可動するタイプにすることもできる。
その他、上述のようないわゆるパイプシート以外のリールシート２であっても無論よく、また、グリップ部と竿本体１とが着脱可能に構成されていて該グリップ部にリール固定部が設けられた構成とすることもできる。何れにしても、リール固定部は、リールＲの脚部Ｆの前後両端部Ｆ１，Ｆ２を保持することによってリールＲを釣竿に固定する構成であればよい。
【００１５】
【発明の効果】
以上のように、本発明に係る釣竿のリール固定部にリールを装着すると、リールのハンドルが従来に比して釣竿の中心線に接近するため、その分、巻き取り操作時における釣竿の軸線まわりの回転モーメントが小さくなる。従って、釣竿がぶれにくくなり、釣竿を支える手の負担も軽減され、リールの操作性が従来に比して向上する。
【図面の簡単な説明】
【図１】本発明の一実施形態における釣竿の要部を示す正面図。
【図２】図１のＰ−Ｐ線断面図。
【符号の説明】
１…竿本体、２…リールシート、３…シート本体、４，５…脚保持体、６，７…フード部、Ｒ…リール、Ｈ…ハンドル、Ｆ…脚部
【図１】
0004626917.tif 000002
【図２】
0004626917.tif 000003